(57)【要約】【課題】本発明は燃料供給を緊急停止させた後の停止解除による燃料流出を防止することを課題とする。【解決手段】燃料供給システム１００は、複数の燃料供給装置１０１〜１０ｎと、管理コンピュータ２００とを有する。燃料供給装置１０は、セルフサービス方式の計量機からなり、筐体３０の前面側に設けられた入力操作部４０Ａと、流量表示器５０Ａと、ノズル収納部６１Ａ〜６３Ａとを有する。燃料供給装置１０の制御回路３６Ａは、入力操作部４０Ａにより設定された燃料供給モードに応じた油種、数量による燃料供給を前面側、背面側の燃料供給系統毎に独立に制御しており、緊急停止スイッチ釦１１０Ａが操作された場合には燃料供給中のポンプを停止させ、管理コンピュータ２００から停止解除信号が入力された場合にはノズルスイッチ７０Ａ〜７３Ａがノズル検出信号を出力していることを条件としてポンプの停止を解除する。【選択図】図２
2010001048.tif 000002
【特許請求の範囲】
【請求項１】
被燃料供給体に燃料を供給する燃料供給ノズルと、該燃料供給ノズルに連通された燃料供給経路と、前記燃料供給ノズルが収納されるノズル収納部と、該ノズル収納部に該燃料供給ノズルが収納されていることを検出している場合にノズル検出信号を出力するノズルスイッチと、を有する燃料供給装置と、
停止指示操作が行なわれることにより停止信号を出力する緊急停止スイッチと、
該緊急停止スイッチから停止信号が出力された場合に前記燃料供給経路を停止状態に切り替える緊急停止制御手段と、
停止解除指示操作が行なわれることにより停止解除信号を出力する停止解除スイッチと、
前記停止解除スイッチより停止解除信号が出力された場合、前記ノズルスイッチからノズル検出信号が得られていることを条件として前記燃料供給経路の停止状態を解除する停止解除制御手段と、
を備えたことを特徴とする燃料供給システム。
【請求項２】
請求項１に記載の燃料供給システムであって、
複数の前記燃料供給装置の稼動状態を管理すると共に、係員の操作により複数の前記燃料供給装置それぞれに対して前記停止信号或いは前記停止解除信号を送信するための操作部を有する管理コンピュータを備え、
前記緊急停止制御手段は、前記管理コンピュータから出力される停止信号に基づいて燃料供給中の前記燃料供給経路の燃料供給を停止状態に切り替え、
前記停止解除制御手段は、前記管理コンピュータから前記停止解除信号が出力された場合には、前記ノズルスイッチからノズル検出信号が得られることを条件として前記燃料供給機の停止状態を解除することを特徴とする燃料供給システム。
【請求項３】
請求項２に記載の燃料供給システムであって、
前記操作部は、前記複数の燃料供給装置に対応する数の当該複数の燃料供給装置専用の表示領域、及び前記緊急停止スイッチ及び前記停止解除スイッチを表示するタッチパネルからなり、
前記タッチパネルに表示された各燃料供給装置に対応する表示領域のうち停止すべき燃料供給装置に対して前記緊急停止スイッチによる停止操作が行なわれると、当該燃料供給装置に対して燃料供給の停止信号を送信すると共に、当該燃料供給装置に対応する表示領域に緊急停止中を表示する表示制御手段を有することを特徴とする燃料供給システム。
【発明の詳細な説明】
【技術分野】
【０００１】
本発明は燃料供給システムに係り、特に燃料供給中に緊急停止スイッチが操作されることで燃料供給を停止させるよう構成された燃料供給システムに関する。
【背景技術】
【０００２】
例えば、自動車の燃料タンク（被燃料供給体）にガソリンなどの燃料を供給する燃料供給システムでは、燃料供給中に何らかの異常が発生した場合に操作される緊急停止スイッチが燃料供給装置に設けられ、且つ事務所に設置される管理コンピュータの操作部にも複数の燃料供給装置に対して燃料供給停止信号を送信するための緊急停止スイッチが配されている。
【０００３】
例えば、セルフ燃料供給方式の燃料供給装置を有する燃料供給システムでは、燃料供給操作を行なっているときに、運転者自身が何らかの異常を発見した場合、運転者は当該燃料供給装置の緊急停止スイッチをオンに操作して燃料の供給を緊急に停止させることが可能である（例えば、特許文献１参照）。
【０００４】
また、別の燃料供給システムにおいては、事務所内の係員が燃料供給装置の付近で何らかの異常を発見した場合には、管理コンピュータの操作部に配された緊急停止スイッチをオンに操作して当該燃料供給装置に緊急停止信号を送信するか、あるいは全ての燃料供給装置に対して緊急停止信号を送信することで燃料供給装置による燃料の供給を緊急に停止させることが可能である（例えば、特許文献２参照）。
【特許文献１】特開平３−２２６４９６号公報
【特許文献２】特開２００３−３４１８００号公報
【発明の開示】
【発明が解決しようとする課題】
【０００５】
上記緊急停止スイッチがオンに操作されるときは、燃料供給装置では燃料供給中であるので、燃料供給ノズルが開弁状態のまま当該燃料供給ノズルが連通された燃料供給経路のポンプが停止されることになり、異常がなくなった後に停止解除スイッチが操作されると、ポンプが起動されて燃料の供給が再開される。
【０００６】
しかしながら、燃料供給中にポンプが緊急停止された後にポンプの停止を解除してポンプを再び駆動すると、燃料供給ノズルより燃料供給が可能な状態となる。そして、その際に燃料供給ノズルが開弁状態となっている場合には燃料供給ノズルより突然燃料が吐出されることになる。このため、緊急停止したことに伴い、作業者が燃料供給ノズルを開弁させた燃料供給可能状態のまま燃料タンクの燃料供給口から取り出した状態でポンプの停止が解除されると、燃料供給ノズルから油液が突然吐出されて燃料供給装置の周辺に油液が撒かれてしまうおそれがあった。
【０００７】
そこで、本発明は上記事情に鑑み、上記課題を解決した燃料供給システムを提供することを目的とする。
【課題を解決するための手段】
【０００８】
上記課題を解決するため、本発明は以下のような手段を有する。
【０００９】
本発明は、被燃料供給体に燃料を供給する燃料供給ノズルと、該燃料供給ノズルに連通された燃料供給経路と、前記燃料供給ノズルが収納されるノズル収納部と、該ノズル収納部に該燃料供給ノズルが収納されていることを検出している場合にノズル検出信号を出力するノズルスイッチと、を有する燃料供給装置と、停止指示操作が行なわれることにより停止信号を出力する緊急停止スイッチと、該緊急停止スイッチから停止信号が出力された場合に前記燃料供給経路を停止状態に切り替える緊急停止制御手段と、停止解除指示操作が行なわれることにより停止解除信号を出力する停止解除スイッチと、前記停止解除スイッチより停止解除信号が出力された場合、前記ノズルスイッチからノズル検出信号が得られていることを条件として前記燃料供給経路の停止状態を解除する停止解除制御手段と、を備えることにより、上記課題を解決するものである。
【００１０】
また、本発明は、請求項１に記載の燃料供給システムであって、複数の前記燃料供給装置の稼動状態を管理すると共に、係員の操作により複数の前記燃料供給装置それぞれに対して前記停止信号或いは前記停止解除信号を送信するための操作部を有する管理コンピュータを備え、前記緊急停止制御手段は、前記管理コンピュータから出力される停止信号に基づいて燃料供給中の前記燃料供給経路の燃料供給を停止状態に切り替え、前記停止解除制御手段は、前記管理コンピュータから前記停止解除信号が出力された場合には、前記ノズルスイッチからノズル検出信号が得られることを条件として前記燃料供給機の停止状態を解除することにより、上記課題を解決するものである。
【００１１】
また、本発明は、請求項２に記載の燃料供給システムであって、前記操作部は、前記複数の燃料供給装置に対応する数の当該複数の燃料供給装置専用の表示領域、及び前記緊急停止スイッチ及び前記停止解除スイッチを表示するタッチパネルからなり、前記タッチパネルに表示された各燃料供給装置に対応する表示領域のうち停止すべき燃料供給装置に対して前記緊急停止スイッチによる停止操作が行なわれると、当該燃料供給装置に対して燃料供給の停止信号を送信すると共に、当該燃料供給装置に対応する表示領域に緊急停止中を表示する表示制御手段を有することにより、上記課題を解決するものである。
【発明の効果】
【００１２】
本発明によれば、停止解除スイッチを操作したとしても燃料供給ノズルがノズル収納部に戻されていなければ燃料供給経路の停止状態を解除することはできないため、停止解除操作時に作業者が燃料供給ノズルを開弁状態としていたために燃料供給ノズルから突然燃料が吐出されることにより生じうる燃料の流出を防止できる。
【発明を実施するための最良の形態】
【００１３】
以下、図面を参照して本発明を実施するための最良の形態について説明する。
【実施例１】
【００１４】
図１は本発明による燃料供給システムの概略構成を示す平面図である。図１に示されるように、燃料供給システム１００は、複数の燃料供給装置１０１〜１０ｎと、管理コンピュータ２００とを有する。各燃料供給装置１０は、前面側と背面側の夫々に燃料供給ポイントを有する。例えば、１番の燃料供給装置１０１は、筐体３０の前面及び背面に燃料供給ポイント２４Ａ，２４Ｂを有する。また、２番の燃料供給装置１０２は、筐体３０の前面及び背面に燃料供給ポイント２４Ｃ，２４Ｄを有する。
【００１５】
各燃料供給ポイント２４Ａ〜２４Ｄでは、１台ずつ車両９０Ａ〜９０Ｄが停車する燃料供給エリアを有しており、車両９０Ａ〜９０Ｄの燃料タンクに個別に燃料を供給することができる。また、燃料供給装置１０はセルフサービス方式であるので、車両９０Ａ〜９０Ｄの運転者が燃料供給情報（油種、燃料供給量、支払い方法等）を入力することで、燃料供給が可能になる。
【００１６】
事務所内に設置された管理コンピュータ２００は、各燃料供給装置１０１〜１０ｎと通信回線２０２を介してデータの送受信を行なうように接続されている。また、管理コンピュータ２００は、燃料供給所の全ての燃料供給装置１０１〜１０ｎの稼動状況を管理しており、例えば、何らかの異常発生により緊急停止操作が行なわれて緊急停止信号が出力された場合には、異常内容を確認した係員の入力操作により他の燃料供給装置１０に対して緊急停止信号を送信する。
【００１７】
図２は燃料供給装置の一実施例を示す正面図である。尚、図２では、燃料供給装置の前面側（Ａ側）のみを示しているが、背面側（Ｂ側）も前面側と同じ構成になっているので、背面側の説明は省略する。
【００１８】
図２に示されるように、燃料供給装置１０は、セルフサービス方式の計量機からなり、コンクリート製のアイランド２０上に設置された筐体３０と、筐体３０の前面側（Ａ側）に設けられた入力操作部４０Ａと、流量表示器５０Ａと、複数（本実施例では３種類）のノズル収納部６１Ａ〜６３Ａとを有する。
【００１９】
入力操作部４０Ａは、筐体３０の上部３２Ａに設けられた液晶パネル４２Ａの表面に形成されたタッチパネルからなる。また、液晶パネル４２Ａの上部には、赤外線センサなどからなる人検知センサ４４Ａが設けられている。そして、燃料供給操作を行う操作者（運転者または同乗者）が液晶パネル４２Ａの前に立つと、人検知センサ４４Ａの検知信号がオンになることで、液晶パネル４２Ａに油種選択画面や給液量をプリセットするためのプリセット画面などが順次表示される。
【００２０】
操作者は、液晶パネル４２Ａに表示された画面（タッチパネル）に触れることで油種選択の入力操作や供給量（プリセット供給または満タン供給）の入力操作を行える。また、本実施例では、液晶パネル４２Ａの画面表示と共に音声ガイドにより操作手順をガイダンスする機能（詳細は省略する）も有している。
【００２１】
液晶パネル４２Ａの下方には、燃料供給中に異常が発生した場合に操作者によって停止操作が行なわれることにより緊急停止信号を出力する緊急停止スイッチ釦１１０Ａが設けられている。また、緊急停止スイッチ釦１１０Ａは、操作者が入力操作部４０Ａを操作する際に認識しやすい位置に設けられている。
【００２２】
緊急停止スイッチ釦１１０Ａは、パネル部分の内側にプッシュ式スイッチ機構が設けられており、パネル表面には、緊急停止釦表示ランプ１１２Ａが設けられている。
【００２３】
さらに、図２に示されるように、液晶パネル４２Ａの右側には、クレジットカード用のカードリーダ４６Ａ、紙幣投入部４７Ａ、インタホン４８Ａ、レシート発行部４９Ａなどの各種機器が設けられている。
【００２４】
また、筐体３０の内部には、各油種毎の燃料供給経路（給液管路、ポンプ、流量計、電磁弁などを有する）が収納されており、筐体３０の前面には、各燃料供給経路に連通されたホース継ぎ手７１Ａ〜７３Ａが設けられている。尚、筐体３０の左右側に配置されたホース継ぎ手７１Ａと７３Ａは、筐体３０の上面近傍の高さ位置に設けられている。そして、水平方向の中央付近に配置されたホース継ぎ手７２Ａは筐体３０の中間部３４Ａに設けられている。
【００２５】
また、ノズル収納部６１Ａ〜６３Ａには、各油種毎の燃料供給ノズル８１Ａ〜８３Ａが収納され、燃料供給ノズル８１Ａ〜８３Ａの把持部には、ホース継ぎ手７１Ａ〜７３Ａに連通された燃料供給ホース９１Ａ〜９３Ａの端部が接続されている。
【００２６】
図３は燃料供給装置１０の筐体３０に搭載された各機器の配置を示す横断面図である。図３に示されるように、筐体３０に搭載された入力操作部４０Ａ，４０Ｂと、流量表示器５０Ａ，５０Ｂと、緊急停止スイッチ釦１１０Ａ，１１０Ｂとは、筐体３０の前面側と背面側とで同じ向きで配置されており、ほぼ中間位置に制御回路３６Ａ，３６Ｂが配されている。筐体３０の前面側の燃料供給系統を制御する制御回路（前面側制御部）３６Ａと、筐体３０の背面側の燃料供給系統を制御する制御回路（背面側制御部）３６Ｂとは、互いに通信ケーブル８２を介してデータ通信可能に接続されている。
【００２７】
また、制御回路３６Ａ，３６Ｂは、夫々前面側、背面側の燃料供給系統を制御すると共に、緊急停止監視処理も同時に並列処理しており、通信ケーブル８２を介して緊急停止監視処理のデータを相互に交換することができる。
【００２８】
図４は燃料供給装置１０の各機器の構成を示すブロック図である。図４に示されるように、燃料供給装置１０の制御回路３６Ａ（３６Ｂ）は、入力操作部４０Ａ（４０Ｂ）、液晶パネル４２Ａ（４２Ｂ）、人検出センサ４４Ａ（４４Ｂ）、カードリーダ４６Ａ（４６Ｂ）、インタホン４８Ａ（４８Ｂ）、レシート発行部４９Ａ（４９Ｂ）、流量表示器５０Ａ（５０Ｂ）、電磁弁５２Ａ（５２Ｂ）、燃料供給ポンプ５４Ａ（５４Ｂ）、流量計５６Ａ（５６Ｂ）、メモリ５８Ａ（５８Ｂ）、スピーカ６０Ａ（６０Ｂ）、ノズル収納部６１Ａ〜６３Ａ（６１Ｂ〜６３Ｂ）に設けられ、燃料供給ノズル８１Ａ〜８３Ａ（８１Ｂ〜８３Ｂ）がノズル収納部６１Ａ〜６３Ａ（６１Ｂ〜６３Ｂ）に収納されていることを検出するノズルスイッチ７０Ａ〜７３Ａ（７０Ｂ〜７３Ｂ）、緊急停止スイッチ釦１１０Ａ（１１０Ｂ）、緊急停止釦表示ランプ１１２Ａ（１１２Ｂ）と接続されている。ノズルスイッチ７０Ａ〜７３Ａ（７０Ｂ〜７３Ｂ）は、ノズル収納部６１Ａ〜６３Ａ（６１Ｂ〜６３Ｂ）に燃料供給ノズル８１Ａ〜８３Ａ（８１Ｂ〜８３Ｂ）が収納されていることを検出している場合にノズル検出信号を出力する。
【００２９】
また、電磁弁５２Ａ（５２Ｂ）、燃料供給ポンプ５４Ａ（５４Ｂ）、流量計５６Ａ（５６Ｂ）は、各燃料の種別毎に設けられている。緊急停止スイッチ釦１１０Ａ（１１０Ｂ）が押圧操作（停止指示操作）されて緊急停止信号が出力された場合、制御回路３６Ａ（３６Ｂ）は、燃料供給ポンプ５４Ａ（５４Ｂ）を停止させると共に、電磁弁５２Ａ（５２Ｂ）を閉弁させる。なお、燃料供給ポンプ５４Ａ（５４Ｂ）または電磁弁５２Ａ（５２Ｂ）の何れかによって燃料供給を停止させることも可能である。
【００３０】
そして、制御回路３６Ａ，３６Ｂは、操作者の入力操作に応じて次に行う操作に対応するランプを点灯または点滅させると共に、スピーカ６０Ａ，６０Ｂから操作手順を案内する音声案内を発声させる。
【００３１】
また、メモリ５８Ａには、入力操作部４０Ａにより設定された燃料供給モード（満タンモード、プリセットモード）に応じた油種、数量による燃料供給を前面側、背面側の燃料供給系統毎に独立に制御する制御プログラムと、緊急停止スイッチ釦１１０Ａから停止信号が出力された場合に燃料供給中のポンプを停止させて燃料供給経路を停止状態に切替える制御プログラム（緊急停止制御手段）と、停止解除スイッチより停止解除信号が出力された場合にノズルスイッチ７０Ａ〜７３Ａからノズル検出信号が得られていることを条件としてポンプの停止を解除して燃料供給経路の停止状態を解除する制御プログラム（停止解除制御手段）とが格納されている。
【００３２】
図５は管理コンピュータ２００のモニタ２１０に表示される管理メニュー画面の表示例を示す図である。図５に示されるように、モニタ２１０に表示される管理メニュー画面２１０Ａは、例えば、４台の各燃料供給装置１０が設置された燃料供給所の場合を一例として示してある。管理メニュー画面２１０Ａには、４台の各燃料供給装置１０１〜１０４の両側に入力操作を行なう表示領域が設定されており、各表示領域には燃料供給ポイント毎の操作領域２１１〜２１８が表示される。さらに、管理メニュー画面２１０の下欄には、キャンセル釦２２０、解除釦２２１、停止釦２２２、許可釦２２３、精算釦２２４が表示される。
【００３３】
モニタ２１０は、タッチパネル式であるので、燃料供給所の係員が管理メニュー画面２１０Ａに触れることで、接触された座標位置に対応する操作画面に切り替わる。また、解除釦２２１は、燃料供給所の係員が停止解除指示操作を行なうことにより停止解除信号を出力する停止解除スイッチ釦である。また、停止釦２２２は、燃料供給装置１０で何らかの異常が発生した場合に燃料供給所の係員が停止指示操作を行なうことにより停止信号を出力する緊急停止スイッチ釦である。
【００３４】
ここで、上記のように構成された燃料供給システム１００の操作手順に応じた管理メニュー画面２１０の表示例について図６を参照して説明する。
【００３５】
図６（Ａ）に示されるように、顧客が燃料供給装置１０に到着していない場合、モニタ２１０上の管理メニュー画面２１０Ａの当該燃料供給ポイントに対応する表示領域に待機中画面２３２を表示する。
【００３６】
図６（Ｂ）に示されるように、顧客が燃料供給装置１０に到着し、燃料供給方法（プリセット供給か満タン供給）、油種、精算方法などを入力して燃料供給ノズル８１Ａ〜８３Ａの何れかがノズル収納部６１Ａ〜６３Ａから外されると、顧客自身が入力した設定油種と当該ノズル油種とが一致するか否かを判定し、モニタ２１０の管理メニュー画面２１０Ａの当該燃料供給ポイントに対応する表示領域にノズル油種判定中画面２３３を表示する。
【００３７】
図６（Ｃ）に示されるように、燃料供給許可待ち状態では、モニタ２１０の管理メニュー画面１１０Ａの当該燃料供給ポイントに対応する表示領域に燃料供給許可待ち画面２３４を表示する。
【００３８】
図６（Ｄ）に示されるように、燃料供給が開始されないときは、モニタ２１０の管理メニュー画面２１０Ａの当該燃料供給ポイントに対応する表示領域に燃料供給開始待ち画面２３５を表示する。
【００３９】
図６（Ｅ）に示されるように、顧客が燃料供給ノズル８１Ａ〜８３Ａのノズルレバーを引いて開弁操作すると、車両に搭載された燃料タンクへの燃料供給が開始される。そして、モニタ２１０の管理メニュー画面２１０Ａの当該燃料供給ポイントに対応する操作領域（表示領域）に燃料供給中画面２３６を表示する。
【００４０】
図６（Ｆ）に示されるように、前述した緊急停止スイッチ釦１１０Ａまたは停止釦２２２が停止指示操作されると、モニタ２１０の管理メニュー画面２１０Ａの当該燃料供給ポイントに対応する表示領域に「緊急停止中」を大きく赤字で表示した緊急停止中画面２３７を表示する。
【００４１】
図６（Ｇ）に示されるように、燃料供給が終了して、顧客が燃料供給ノズル８１Ａ〜８３Ａの何れかをノズル収納部６１Ａ〜６３Ａに戻すと、モニタ２１０の管理メニュー画面１１０Ａの当該燃料供給ポイントに対応する表示領域に燃料供給終了画面２３８を表示する。
【００４２】
ここで、燃料供給装置１０の制御回路３６Ａが実行する制御処理について説明する。図７Ａは燃料供給装置１０の制御回路３６Ａが実行する制御処理を示すフローチャートである。図７Ｂは燃料供給装置１０の制御回路３６Ａが実行する緊急停止処理を示すフローチャートである。
【００４３】
図７Ａに示されるように、燃料供給装置１０の制御回路３６Ａは、Ｓ１１で燃料供給ノズル８１Ａ〜８３Ａの何れかがノズル収納部６１Ａ〜６３Ａから外されたか否かをチェックする。Ｓ１１において、ノズル収納部６１Ａ〜６３Ａに設けられたノズルスイッチ７０Ａ〜７３Ａがオンであるときは、全てのノズルスイッチ７０Ａ〜７３Ａからノズル検出信号が出力されており、燃料供給ノズル８１Ａ〜８３Ａが全てノズル収納部６１Ａ〜６３Ａに収納されているので、待機中状態（図６（Ａ）参照）となる。
【００４４】
Ｓ１１において、ノズル収納部６１Ａ〜６３Ａに設けられたノズルスイッチ７０Ａ〜７３Ａの何れかがオフになると、ノズルスイッチ７０Ａ〜７３Ａの何れかからノズル検出信号が出力されていないため、燃料供給ノズル８１Ａ〜８３Ａの何れかがノズル収納部６１Ａ〜６３Ａから外されたものと判断してＳ１２に進む。
【００４５】
Ｓ１２では、メモリ５８Ａに緊急停止フラグが記憶されているか否かをチェックする。このＳ１２において、メモリ５８Ａに緊急停止フラグが記憶されている場合は、前述した緊急停止スイッチ釦１１０Ａまたは停止釦２２２が押圧操作（停止指示操作）されたことにより停止信号が出力されたことを示しているので、以下の燃料供給処理を一切行なわずに今回の制御処理を終了する。この後は、Ｓ１１に戻る。
【００４６】
また、上記Ｓ１２において、メモリ５８Ａに緊急停止フラグが記憶されていないときは、前述した緊急停止スイッチ釦１１０Ａまたは停止釦２２２が押圧操作（停止指示操作）されていない（停止信号が出力されていない）ことを示しているので、Ｓ１２ａに進み、顧客が予め入力した設定油種と顧客が取り上げた燃料供給ノズルの油種とが一致するか否かをチェックする。Ｓ１２ａでは、ノズル油種判定中状態（図６（Ｂ）参照）となる。
【００４７】
Ｓ１２ａにおいて、顧客が予め入力した設定油種と顧客が取り上げたノズルの油種とが一致しないときは、上記Ｓ１１に戻り、ノズル選択操作をやり直す。また、Ｓ１２ａにおいて、顧客が予め入力した設定油種と顧客が取り上げたノズルの油種とが一致したときは、ノズル選択が正しいので、Ｓ１３に進み、燃料供給の許可を要求することを示す燃料供給要求信号を管理コンピュータ２００に出力する。このとき、燃料供給装置１０は、燃料供給許可待ち状態（図６（Ｃ）参照）となる。
【００４８】
次のＳ１４では、管理コンピュータ２００から燃料供給を許可することを示す燃料供給許可信号が入力されたか否かをチェックする。このＳ１４において、管理コンピュータ２００から燃料供給許可信号が入力されないときは、Ｓ１５に移行して前述の顧客が取り上げた燃料供給ノズル（８１Ａ〜８３Ａ）がこの燃料供給ノズルに対応するノズル収納部（６１Ａ〜６３Ａ）に戻されたか否かをチェックする。
【００４９】
Ｓ１５において、顧客が取り上げた燃料供給ノズル（８１Ａ〜８３Ａ）がノズル収納部（６１Ａ〜６３Ａ）に戻されていないときは、当該ノズル収納部（６１Ａ〜６３Ａ）に設けられたノズルスイッチ（７０Ａ〜７３Ａ）からノズル検出信号が出力されていないことを示しているので、Ｓ１６に進み、メモリ５８Ａに緊急停止フラグが記憶されているか否かをチェックする。このＳ１６において、メモリ５８Ａに緊急停止フラグが記憶されていないときは、前述した緊急停止スイッチ釦１１０Ａまたは停止釦２２２が押圧操作（停止指示操作）されることによる停止信号が出力されていないことを示しているので、上記Ｓ１４に戻る。従って、管理コンピュータ２００から燃料供給許可信号が入力されず、燃料供給ノズル８１Ａ〜８３Ａのうち顧客が取り外した燃料供給ノズル（８１Ａ〜８３Ａ）が当該燃料供給ノズルに対応するノズル収納部（６１Ａ〜６３Ａ）に戻されず、メモリ５８Ａに緊急停止フラグが記憶されていない状態が維持される限り、Ｓ１４〜Ｓ１６の処理を繰り返しており、燃料供給許可待ち状態（図６（Ｃ）参照）となる。
【００５０】
また、上記Ｓ１５において、燃料供給ノズル８１Ａ〜８３Ａのうち顧客が取り上げた燃料供給ノズルがノズル収納部に戻されたときは、当該ノズル収納部のノズルスイッチよりノズル検出信号が出力されるので、このノズル検知信号が入力された場合には、燃料供給操作を中止したものと判断して、Ｓ２５に進み、燃料供給終了信号を管理コンピュータ２００に出力する。このとき、燃料供給装置１０は、燃料供給終了状態（図６（Ｇ）参照）となる。これで、今回の処理を終了してＳ１１に戻る。
【００５１】
また、上記Ｓ１６において、メモリ５８Ａに緊急停止フラグが記憶されているときは、前述した緊急停止スイッチ釦１１０Ａまたは停止釦２２２が押圧操作（停止指示操作）されて停止信号が出力されているので、Ｓ１７に進み、ノズル収納部６１Ａ〜６３Ａから外された燃料供給ノズル（８１Ａ〜８３Ａ）全てがノズル収納部（６１Ａ〜６３Ａ）に戻されたか否かをチェックする。このとき、燃料供給装置１０は、緊急停止中状態（図６（Ｆ）参照）となる。
【００５２】
Ｓ１７において、ノズル収納部（６１Ａ〜６３Ａ）から外された燃料供給ノズル（８１Ａ〜８３Ａ）の全てがノズル収納部（６１Ａ〜６３Ａ）に戻されたときは、作業者が燃料供給操作を中止したため、Ｓ２５に進み、燃料供給終了信号を管理コンピュータ２００に出力する。このとき、燃料供給装置１０は、燃料供給終了状態（図６（Ｇ）参照）となる。これで、今回の処理を終了してＳ１１に戻る。
【００５３】
また、上記Ｓ１４において、管理コンピュータ２００から燃料供給許可信号が入力されたときは、Ｓ１８に進み、燃料供給ポンプ５４Ａのモータを起動させる。このとき、燃料供給装置１０は、燃料供給開始待ち状態（図６（Ｄ）参照）となる。
【００５４】
続いて、Ｓ１９に進み、流量計５６Ａによって計測された燃料供給量を積算する。このとき、燃料供給装置１０は、燃料供給中状態（図６（Ｅ）参照）となる。
【００５５】
次のＳ２０では、メモリ５８Ａに緊急停止フラグが記憶されているか否かをチェックする。このＳ２０において、メモリ５８Ａに緊急停止フラグが記憶されていないときは、前述した緊急停止スイッチ釦１１０Ａまたは停止釦２２２が押圧操作（停止指示操作）されていないので、停止信号が出力されておらず、上記Ｓ２１に進む。
【００５６】
Ｓ２１では、ノズル収納部（６１Ａ〜６３Ａ）から外された燃料供給ノズル（８１Ａ〜８３Ａ）がノズル収納部（６１Ａ〜６３Ａ）に戻されたか否かをチェックする。Ｓ２１において、ノズル収納部（６１Ａ〜６３Ａ）から外された燃料供給ノズル（８１Ａ〜８３Ａ）の何れかがノズル収納部（６１Ａ〜６３Ａ）に戻されていないときは、燃料供給に使用していた燃料供給ノズル（８１Ａ〜８３Ａ）がノズル収納部（６１Ａ〜６３Ａ）に戻されていないために、ノズル収納部（６１Ａ〜６３Ａ）のノズルスイッチ（７０Ａ〜７３Ａ）からノズル検出信号が出力されないことから、燃料供給状態が継続されているものと判断して、上記Ｓ１８に戻り、Ｓ１８〜Ｓ２１の処理を繰り返す。
【００５７】
また、上記Ｓ２１において、燃料供給に使用していた当該燃料供給ノズル（８１Ａ〜８３Ａ）がノズル収納部（６１Ａ〜６３Ａ）に戻されたときは、当該ノズル収納に設けられたノズルスイッチ（７０Ａ〜７３Ａ）からノズル検出信号が出力されるため、当該燃料供給ノズルによる燃料供給操作を終了したものと判断して、Ｓ２４に進み、燃料供給ポンプ５４Ａのモータを停止させる。
【００５８】
また、上記Ｓ２０において、メモリ５８Ａに緊急停止フラグが記憶されているときは、前述した緊急停止スイッチ釦１１０Ａまたは停止釦２２２が押圧操作（停止指示操作）されて停止信号が出力されたことを示しているので、Ｓ２２に進み、燃料供給ポンプ５４Ａのモータを停止させる。このとき、燃料供給装置１０は、緊急停止中状態（図６（Ｆ）参照）となる。
【００５９】
続いて、Ｓ２３では、燃料供給ノズル８１Ａ〜８３Ａの全てがノズル収納部６１Ａ〜６３Ａに戻されたか否かをノズル収納部６１Ａ〜６３Ａに設けられたノズルスイッチ７０Ａ〜７３Ａより出力されるノズル検知信号の出力の有無より判断する。Ｓ２３において、燃料供給ノズル８１Ａ〜８３Ａの全てがノズル収納部６１Ａ〜６３Ａに戻されていないときは、ノズルスイッチ７０Ａ〜７３Ａの何れかからのノズル検出信号が出力されていないので、燃料供給ノズル８１Ａ〜８３Ａの全てがノズル収納部６１Ａ〜６３Ａに戻されるまで待機状態となる。
【００６０】
また、Ｓ２３において、燃料供給ノズル８１Ａ〜８３Ａの全てがノズル収納部６１Ａ〜６３Ａに戻されたときは、全てのノズルスイッチ７０Ａ〜７３Ａからノズル検出信号が出力されるため、燃料供給操作を中止したものと判断して、Ｓ２５に進む。
【００６１】
次のＳ２５では、燃料供給終了信号を管理コンピュータ２００に出力する。このとき、燃料供給装置１０は、燃料供給終了状態（図６（Ｇ）参照）となる。これで、今回の処理を終了してＳ１１に戻る。
【００６２】
このように上記Ｓ１６，Ｓ２０において、メモリ５８Ａに緊急停止フラグが記憶されているときは、次のＳ１７，Ｓ２１で燃料供給ノズル８１Ａ〜８３Ａがノズル収納部６１Ａ〜６３Ａに戻されたことを確認して次の処理に進むため、燃料供給ノズル８１Ａ〜８３Ａが燃料タンクの燃料供給口から引き抜かれた状態で燃料供給が再開されることが防止され、燃料が流出することを防止することができる。
【００６３】
制御回路３６Ａでは、上記図７Ａに示す制御処理を実行すると共に、図７Ｂに示す緊急停止処理を並行処理している。次に図７Ｂに示す緊急停止処理について説明する。
【００６４】
図７Ｂに示すＳ３１では、燃料供給装置１０に設けられた緊急停止スイッチ釦１１０Ａまたは停止釦２２２が押圧操作（停止指示操作）されたか否かをチェックする。Ｓ３１において、緊急停止スイッチ釦１１０Ａ（または停止釦２２２）が押圧操作（停止指示操作）されていないときは、Ｓ３２に進み、停止解除信号が管理コンピュータ２００から入力されたか否かをチェックする。従って、緊急停止スイッチ釦１１０Ａからの緊急停止信号及び管理コンピュータ２００からの停止解除信号の何れかが入力されるまでＳ３１，Ｓ３２の処理を繰り返している。
【００６５】
Ｓ３１において、緊急停止スイッチ釦１１０Ａ（または停止釦２２２）が押圧操作（停止指示操作）されて緊急停止信号が入力されたときは、Ｓ３３に進み、緊急停止信号を管理コンピュータ２００に出力する。続いて、Ｓ３４に進み、メモリ５８Ａに緊急停止フラグを記憶する。これにより、燃料供給装置１０の各燃料供給経路は、ポンプ停止により緊急停止状態となり、前述したＳ１２，Ｓ１６，Ｓ２０で緊急停止フラグが記憶されているため、燃料供給状態から緊急停止状態に切り替わる。この後は、上記Ｓ３１に戻る。尚、Ｓ３１において、管理コンピュータ２００のモニタ２１０に表示された停止釦２２２が押圧操作（停止指示操作）されて緊急停止信号が出力されたときは、Ｓ３３の緊急停止信号出力を行なわないようにしても良い。
【００６６】
また、上記Ｓ３２において、モニタ２１０に表示された解除釦２２１が押圧操作（停止解除指示操作）されて、管理コンピュータ２００からの停止解除信号が入力されたときは、Ｓ３５に進み、メモリ５８Ａから緊急停止フラグを抹消する。これで、今回の処理を終了してＳ３１に戻る。Ｓ３５において、メモリ５８Ａに記憶されている緊急停止フラグを抹消することにより、前述したＳ１２，Ｓ１６，Ｓ２０で緊急停止フラグが記憶されていないため、緊急停止状態から燃料供給状態に切り替わり、通常の燃料供給処理が行なわれる。
【００６７】
このように、制御処理３６Ａは、燃料供給中に緊急停止スイッチ釦１１０Ａ（または停止釦２２２）が押圧操作（停止指示操作）されたときは、Ｓ２０〜Ｓ２３の処理によって燃料供給ポンプ５４Ａのモータを停止させ、燃料供給ノズル８１Ａ〜８３Ａがノズル収納部６１Ａ〜６３Ａに戻されていることを条件にしてＳ２５で燃料供給終了信号を管理コンピュータ２００に出力する。
【００６８】
ここで、図８Ａ、図８Ｂを参照して管理コンピュータ２００が実行する制御処理について説明する。管理コンピュータ２００は、図８Ａに示すように、Ｓ４１で燃料供給要求信号が燃料供給装置１０から入力されたか否かをチェックする。Ｓ４１において、燃料供給要求信号が入力されないときは、Ｓ４２に進み、燃料供給許可信号を出力するための許可釦２２３がオンに操作されたか否かをチェックする。Ｓ４２において、許可釦２２３がオンに操作されないときは、許可信号が出力されず、Ｓ４３に進み、燃料供給装置１０から燃料供給終了信号が入力されたか否かをチェックする。Ｓ４３において、燃料供給終了信号が入力されないときは、Ｓ４１に戻り、Ｓ４１〜Ｓ４３の処理を繰り返す。
【００６９】
上記Ｓ４１において、燃料供給要求信号が入力されたときは、Ｓ４４に進み、緊急停止フラグが記憶されているか否かをチェックする。このＳ４４において、緊急停止フラグが記憶されていないときは、解除釦２２１が押圧操作（停止解除指示操作）されておらず、停止解除信号が出力されていないので、Ｓ４５に進み、燃料供給許可待ち状態であることを記憶すると共に、モニタ２１０の管理メニュー画面１１０Ａに表示する（図６（Ｃ）参照）。また、上記Ｓ４４において、緊急停止フラグが記憶されているときは、解除釦２２１が押圧操作（停止解除指示操作）されて停止解除信号が出力されたことを示しているので、Ｓ４５の処理を省略して上記Ｓ４１に戻る。尚、緊急停止フラグが記憶されている場合の表示処理を後述する並行処理によって行なわれる。
【００７０】
また、Ｓ４２において、許可釦２２３がオンに操作されたときは、Ｓ４６に進み、燃料供給許可待ちか否かをチェックする。Ｓ４６で燃料供給許可待ちのときは、Ｓ４７に進み、緊急停止フラグが記憶されているか否かをチェックする。そして、Ｓ４７において、緊急停止フラグが記憶されていないときは、解除釦２２１が押圧操作（停止解除指示操作）されておらず、停止解除信号が出力されていないので、Ｓ４８に進み、燃料供給許可信号を燃料供給装置１０に出力する。続いて、Ｓ４９に進み、燃料供給中状態であることを記憶すると共に、モニタ２１０の管理メニュー画面１１０Ａに表示する（図６（Ｅ）参照）。この後は、Ｓ４１に戻る。
【００７１】
また、上記Ｓ４６において、燃料供給許可待ちでないとき、及びＳ４７において、緊急停止フラグが記憶されているときは、解除釦２２１が押圧操作（停止解除指示操作）されて停止解除信号が出力されたことを示しているので、Ｓ４８，Ｓ４９の処理を省略して今回の制御処理を終了してＳ４１に戻る。
【００７２】
また、上記Ｓ４３において、燃料供給終了信号が入力されたときは、Ｓ５０に進み、緊急停止フラグが記憶されているか否かをチェックする。そして、Ｓ５０において、緊急停止フラグが記憶されていないときは、解除釦２２１が押圧操作（停止解除指示操作）されておらず、停止解除信号が出力されていないので、Ｓ５１に進み、待機中状態であることを記憶すると共に、モニタ２１０の管理メニュー画面１１０Ａに表示する（図６（Ａ）参照）。この後は、Ｓ４１に戻る。
【００７３】
また、上記Ｓ５０において、緊急停止フラグが記憶されているときは、解除釦２２１が押圧操作（停止解除指示操作）されて停止解除信号が出力されたことを示しているので、Ｓ５１の処理を省略してＳ５２に進み、燃料供給終了状態であることを記憶すると共に、モニタ２１０の管理メニュー画面１１０Ａに表示する（図６（Ｇ）参照）。この後は、Ｓ４１に戻る。
【００７４】
次に管理コンピュータ２００が実行する並行処理について説明する。図８Ｂに示されるように、Ｓ６１では、燃料供給装置１０に設けられた緊急停止スイッチ釦１１０Ａによる緊急停止信号が入力されたか否かをチェックする。Ｓ６１において、緊急停止信号が入力されていないときは、Ｓ６２に進み、停止釦２２２による停止指示操作が行なわれたか否かをチェックする。Ｓ６２において、停止指示操作が行なわれていないときは、Ｓ６３に進み、解除釦２２１による停止解除操作が行なわれたか否かをチェックする。Ｓ６３において、停止解除操作が行なわれていないときは、解除釦２２１が押圧操作（停止解除指示操作）されておらず、停止解除信号が出力されていないので、上記Ｓ６１に戻り、Ｓ６１〜Ｓ６３の処理を繰り返す。
【００７５】
Ｓ６１において、燃料供給装置１０から緊急停止信号が入力されたときはＳ６４に進み、緊急停止状態であることを記憶すると共に、モニタ２１０の管理メニュー画面１１０Ａに表示する（図６（Ｆ）参照）。この後は、Ｓ６１に戻る。
【００７６】
また、上記Ｓ６２において、停止釦２２２による停止指示操作が行なわれたときは、Ｓ６５に進み、燃料供給装置１０へ停止指示信号を出力する。続いて、Ｓ６６では、緊急停止状態であることを記憶すると共に、モニタ２１０の管理メニュー画面１１０Ａに表示する（図６（Ｆ）参照）。この後は、Ｓ６１に戻る。
【００７７】
また、上記Ｓ６３において、解除釦２２１による停止解除操作が行なわれたときは、解除釦２２１が押圧操作（停止解除指示操作）されて停止解除信号が出力されたことを示しているので、Ｓ６７に進み、燃料供給終了フラグが記憶されているか否かをチェックする。Ｓ６７において、燃料供給終了フラグが記憶されているときは、Ｓ６８に進み、待機中状態であることを記憶すると共に、モニタ２１０の管理メニュー画面１１０Ａに表示する（図６（Ａ）参照）。続いて、Ｓ６９では、停止解除信号を停止中の当該燃料供給装置１０に対して出力（送信）する。この後は、Ｓ６１に戻る。
【００７８】
また、上記Ｓ６７において、燃料供給終了フラグが記憶されていないときは、Ｓ６８，Ｓ６９の処理を省略してＳ６１に戻る。
【００７９】
このように、管理コンピュータ２００では、緊急停止スイッチ釦１１０Ａ、解除釦２２１、停止釦２２２による入力信号によって緊急停止状態または緊急停止解除状態を記憶し、解除釦２２１による停止解除信号、停止釦２２２による停止指示信号を燃料供給装置１０に出力するため、燃料供給装置１０においては、管理メニュー画面１１０Ａを操作する係員の指示に基づいて燃料供給を停止状態に設定したり、燃料供給ノズル８１Ａ〜８３Ａがノズル収納部６１Ａ〜６３Ａに戻されていることを条件に停止解除状態に切り替えることが可能になる。
【産業上の利用可能性】
【００８０】
尚、上記実施例では、ガソリンや軽油などの液体燃料を供給する燃料供給装置を例に挙げて説明したが、これに限らず、これ以外の燃料（例えば、ＣＮＧ，ＬＮＧ，ＬＰＧ、水素など）を供給する燃料供給装置にも本発明を適用することができるのは勿論である。
【００８１】
また、上記実施例においては、セルフサービス方式の燃料供給装置を例に挙げたが、これに限らず、燃料供給所の作業員が操作を行なう所謂フルサービス方式のものにも適用できるのは勿論である。
【図面の簡単な説明】
【００８２】
【図１】本発明による燃料供給システムの概略構成を示す平面図である。
【図２】燃料供給装置の一実施例を示す正面図である。
【図３】燃料供給装置１０の筐体３０に搭載された各機器の配置を示す横断面図である。
【図４】燃料供給装置１０の各機器の構成を示すブロック図である。
【図５】管理コンピュータ２００のモニタ２１０に表示される管理メニュー画面の表示例を示す図である。
【図６】燃料供給システム１００の操作手順に応じた管理メニュー画面２１０の表示例を示す図である。
【図７Ａ】燃料供給装置１０の制御回路３６Ａが実行する制御処理を示すフローチャートである。
【図７Ｂ】燃料供給装置１０の制御回路３６Ａが実行する緊急停止処理を示すフローチャートである。
【図８Ａ】管理コンピュータ２００が実行する制御処理を説明するためのフローチャートである。
【図８Ｂ】管理コンピュータ２００が実行する緊急停止処理を説明するためのフローチャートである。
【符号の説明】
【００８３】
１０１〜１０ｎ  燃料供給装置
３６Ａ，３６Ｂ  制御回路
４０Ａ，４０Ｂ  入力操作部
４２Ａ，４２Ｂ  液晶パネル
５０Ａ，５０Ｂ  流量表示器
５４Ａ，５４Ｂ  燃料供給ポンプ
５８Ａ，５８Ｂ  メモリ
６１Ａ〜６３Ａ  ノズル収納部
８１Ａ〜８３Ａ  燃料供給ノズル
９１Ａ〜９３Ａ  燃料供給ホース
１００  燃料供給システム
１１０Ａ，１１０Ｂ  緊急停止スイッチ釦
２００  管理コンピュータ
７０Ａ〜７３Ａ，７０Ｂ〜７３Ｂ  ノズルスイッチ
２１０Ａ  管理メニュー画面
２１１〜２１８  操作領域
２２１  解除釦
２２２  停止釦
２２３  許可釦
２３２  待機中画面
２３３  ノズル油種判定中画面
２３４  燃料供給許可待ち画面
２３５  燃料供給開始待ち画面
２３６  燃料供給中画面
２３７  緊急停止中画面
２３８  燃料供給終了画面
【図１】
2010001048.tif 000003
【図２】
2010001048.tif 000004
【図３】
2010001048.tif 000005
【図４】
2010001048.tif 000006
【図５】
2010001048.tif 000007
【図６】
2010001048.tif 000008
【図７Ａ】
2010001048.tif 000009
【図７Ｂ】
2010001048.tif 000010
【図８Ａ】
2010001048.tif 000011
【図８Ｂ】
2010001048.tif 000012